(57)【要約】【課題】組み立てが容易なキーボード装置のキー構造を提供する。【解決手段】鋏式接続部材と底板を備え、底板は底板固定フック、底板摺動フック及びストッパー構造を備え、底板固定フックの開口と底板摺動フックの開口は同一方向に臨む。底板の構造により鋏式接続部材が底板固定フックと底板摺動フック内に容易に組み立てられ、底板固定フックとストッパー構造で鋏式接続部材を底板に固定することができる。【選択図】図３
2012160428.tif 000002
【特許請求の範囲】
【請求項１】
鋏式接続部材を備え、前記鋏式接続部材が、
底板固定軸とキーキャップ摺動軸を有し、前記底板固定軸が第１フレームの第１端にあり、前記キーキャップ固定軸が第１フレームの第２端にある第１フレームと、
前記第１フレームに接続され、底板摺動軸とキーキャップ固定軸を有し、前記キーキャップ固定軸が第２フレームの第１端にあり、前記底板摺動軸が第２フレームの第２端にある第２フレームと、
前記鋏式接続部材に接続された底板と、
を備え、前記底板が、
前記底板の第２側にあり、前記第１フレームの前記第１端をその中に収容するための第１底板孔と、
前記第１底板孔の第２側にあり、底板固定フックの開口が前記底板の第１側に臨み、前記底板固定軸と接触する底板固定フックと、
前記第１底板孔の第１側にあり、ストッパー構造が前記底板の頂面から突出して、前記底板固定軸が前記底板固定フックと前記ストッパー構造の間から脱け出ないようにするストッパー構造であって、前記ストッパー構造と前記開口との間隔が前記底板固定軸の直径より小さいものと、
前記底板の前記第１側にあり、前記底板摺動フックの開口が前記底板の前記第１側に臨み、前記底板摺動軸をその中に収容するための底板摺動フックと、
を備えることを特徴とするキーボード装置のキー構造。
【請求項２】
前記底板に設置され、トリガーされるとキー信号を生成する薄膜スイッチ回路と、
前記鋏式接続部材に接続され、押下されると前記薄膜回路スイッチをトリガーするキーキャップと、
前記薄膜スイッチ回路に設置され、その頂部が前記キーキャップと接触すると、その底部が前記薄膜スイッチ回路と接触し、前記キーキャップに当接されると、前記薄膜回路スイッチをトリガーし、又は弾性力を前記キーキャップに提供するための弾性体と、
をさらに備えることを特徴とする請求項１に記載のキーボード装置のキー構造。
【請求項３】
前記キーキャップは、
前記底板固定フックの上方にあり、前記鋏式接続部材の前記キーキャップ固定軸を収納してその中に固定するためのキーキャップ固定構造と、
前記キーキャップの第１側にあり、前記鋏式接続部材の前記キーキャップ摺動軸を収納するためのキーキャップ摺動フックと、
を備えることを特徴とする請求項２に記載のキーボード装置のキー構造。
【請求項４】
前記キーキャップが押下されると、前記キーキャップ固定軸と前記底板固定軸がそれぞれ前記キーキャップ固定構造と前記底板固定フック内で回転し、前記キーキャップ摺動軸と前記底板摺動軸がそれぞれ前記キーキャップ摺動フックと前記底板摺動フック内で前記底板の前記第１側に摺動して、前記鋏式接続部材を開いた状態から畳んだ状態とし、前記弾性体は前記キーキャップに当接されて前記薄膜回路スイッチをトリガーし、前記薄膜回路スイッチが前記キー信号を生成し、前記キーキャップがこれ以上押下されなくなると、前記弾性体が前記弾性力を前記キーキャップに提供し、前記キーキャップ固定軸と前記底板固定軸がそれぞれ前記キーキャップ固定構造と前記底板固定フック内で回転し、前記キーキャップ摺動軸と前記底板摺動軸がそれぞれ前記キーキャップ摺動フックと前記底板摺動フック内で前記底板の前記第２側に摺動して、前記キーキャップが元の位置に移動することを特徴とする請求項３に記載のキーボード装置のキー構造。
【請求項５】
前記第１フレームは第１底面を有して前記底板固定軸が前記第１底面から突出し、前記第２フレームは第２底面を有して前記底板摺動軸が前記第２底面から突出することを特徴とする請求項１に記載のキーボード装置のキー構造。
【請求項６】
前記底板は、前記底板の前記第１側にあって前記底板摺動フックに近傍し、前記底板摺動軸をその中に収容するための第２底板孔をさらに有することを特徴とする請求項１に記載のキーボード装置のキー構造。
【請求項７】
前記薄膜スイッチ回路は、
前記薄膜スイッチ回路の第２側にあり、前記底板固定軸と前記底板固定フックに貫通された第１薄膜孔と、
前記薄膜スイッチ回路の第１側にあり、前記底板摺動軸と前記底板摺動フックに貫通された第２薄膜孔と、
を備えることを特徴とする請求項１に記載のキーボード装置のキー構造。
【請求項８】
鋏式接続部材を備え、前記鋏式接続部材が、
底板固定軸、キーキャップ摺動軸及び凸部を備え、前記底板固定軸が第１フレームの第１端にあり、前記凸部が前記底板固定軸の中央領域にあり、前記キーキャップ固定軸が前記第１フレームの第２端にある第１フレームと、
前記第１フレームに接続され、底板摺動軸とキーキャップ固定軸を有し、前記キーキャップ固定軸が第２フレームの第１端にあり、前記底板摺動軸が第２フレームの第２端にある第２フレームと、
前記鋏式接続部材に接続された底板と、
を備え、前記底板が、
前記底板の第２側にあり、前記第１フレームの前記第１端をその中に収容するための第１底板孔と、
前記第１底板孔の第２側にあり、底板固定フックの開口が前記底板の第１側に臨み、前記底板固定軸と接触する底板固定フックと、
前記第１底板孔の第１側にあり、前記凸部をその中に収容し、前記第２底板孔の側壁が前記凸部の側辺と接触する第２底板孔と、
前記底板の前記第１側にあり、前記底板摺動フックの開口が前記底板の前記第１側に臨み、前記底板摺動軸をその中に収容するための底板摺動フックと、
を備えることを特徴とするキーボード装置のキー構造。
【請求項９】
前記底板に設置され、トリガーされるとキー信号を生成する薄膜スイッチ回路と、
前記鋏式接続部材に接続され、押下されると前記薄膜回路スイッチをトリガーするキーキャップと、
前記薄膜スイッチ回路に設置され、その頂部が前記キーキャップと接触すると、その底部が前記薄膜スイッチ回路と接触し、前記キーキャップに当接されると、前記薄膜回路スイッチをトリガーし、又は弾性力を前記キーキャップに提供するための弾性体と、
をさらに備えることを特徴とする請求項８に記載のキーボード装置のキー構造。
【請求項１０】
前記キーキャップは、
前記底板固定フックの上方にあり、前記鋏式接続部材の前記キーキャップ固定軸を収納してその中に固定するためのキーキャップ固定構造と、
前記キーキャップの第１側にあり、前記鋏式接続部材の前記キーキャップ摺動軸を収納するためのキーキャップ摺動フックと、
を備えることを特徴とする請求項９に記載のキーボード装置のキー構造。
【請求項１１】
前記キーキャップが押下されると、前記キーキャップ固定軸と前記底板固定軸がそれぞれ前記キーキャップ固定構造と前記底板固定フック内で回転し、前記キーキャップ摺動軸と前記底板摺動軸がそれぞれ前記キーキャップ摺動フックと前記底板摺動フック内で前記底板の前記第１側に摺動して、前記鋏式接続部材を開いた状態から畳んだ状態とし、前記弾性体は前記キーキャップに当接されて前記薄膜回路スイッチをトリガーし、前記薄膜回路スイッチが前記キー信号を生成し、前記キーキャップがこれ以上押下されなくなると、前記弾性体が前記弾性力を前記キーキャップに提供し、前記キーキャップ固定軸と前記底板固定軸がそれぞれ前記キーキャップ固定構造と前記底板固定フック内で回転し、前記キーキャップ摺動軸と前記底板摺動軸がそれぞれ前記キーキャップ摺動フックと前記底板摺動フック内で前記底板の前記第２側に摺動して、前記キーキャップが元の位置に移動することを特徴とする請求項１０に記載のキーボード装置のキー構造。
【請求項１２】
前記第１フレームは第１底面を有して前記底板固定軸が前記第１底面から突出し、前記第２フレームは第２底面を有して前記底板摺動軸が前記第２底面から突出することを特徴とする請求項８に記載のキーボード装置のキー構造。
【請求項１３】
前記底板は、前記底板の前記第１側にあって前記底板摺動フックに近傍し、前記底板摺動軸をその中に収容するための第３底板孔をさらに有することを特徴とする請求項８に記載のキーボード装置のキー構造。
【請求項１４】
前記薄膜スイッチ回路は、
前記薄膜スイッチ回路の第２側にあり、前記底板固定軸と前記底板固定フックに貫通された第１薄膜孔と、
前記薄膜スイッチ回路の第１側にあり、前記底板摺動軸と前記底板摺動フックに貫通された第２薄膜孔と、
を備えることを特徴とする請求項８に記載のキーボード装置のキー構造。
【発明の詳細な説明】
【技術分野】
【０００１】
本発明はキー構造に関し、より詳しくはキーボード装置のキー構造に関する。
【背景技術】
【０００２】
ありふれたコンピュータの周辺入力装置はマウス装置、キーボード装置及びトラックボール装置等を備え、キーボード装置は文字や記号をコンピュータに直接キーインが可能なことから、ユーザや入力装置メーカーからかなり重要視されている。
【０００３】
先ず公知のキーボード装置の構造及び機能を説明する。図１は公知のキーボード装置の外観構造の概略図である。公知のキーボード装置１の表面には複数のキー１０があり、前記複数のキー１０は一般のキー、テンキー及びファンクションキー等に分類され、前記複数のキー１０はユーザが手指で押下すると、これに対応する信号をコンピュータに生成し、コンピュータが押下されたキー機能を実行する。例えば、一般のキーはアルファベット等の記号を入力し、テンキーは数字を入力し、Ｆ１〜Ｆ１２等のファンクションキーは各種機能を提供する。
【０００４】
次に、公知のキーボード装置のキー構造を説明する。図２は公知のキーボード装置のキー構造の側面概略図である。キーボード装置のキー構造２は底板２０、鋏式接続部材２１、キーキャップ２２、弾性体２３及び薄膜スイッチ回路２４を備える。薄膜スイッチ回路２４は底板２０に設置され、鋏式接続部材２１は底板２０とキーキャップ２２の間にあり、弾性体２３は薄膜スイッチ回路２４に設置されてキーキャップ２２と接触し、弾性体２３はゴムで製造される。底板２０は底板固定構造２０１と底板摺動フック２０２を備え、底板固定構造２０１は底板固定フック２０１１とストッパー構造２０１２を備える。
底板固定構造２０１は底板２０の第２側２０４にあり、底板固定フック２０１１の開口２０１１Ａは底板２０の第２側２０４に臨み、底板摺動フック２０２は底板２０の第１側２０３にあり、底板摺動フック２０２の開口２０２１は底板２０の第１側２０３に臨む。キーキャップ２２はキーキャップ固定構造２２１とキーキャップ摺動フック２２２を備え、キーキャップ固定構造２２１はキーキャップ２２の第２側２２４にあり、キーキャップ摺動フック２２２はキーキャップ２２の第１側２２３にある。
【０００５】
鋏式接続部材２１は第１フレーム２１１と第２フレーム２１２を備える。第１フレーム２１１の第１端２１１１は底板固定構造２０１に接続され、第１端２１１１は底板固定フック２０１１とストッパー構造２０１２の間に固定され、第１フレーム２１１の第２端２１１２はキーキャップ摺動フック２２２に接続されてキーキャップ摺動フック２２２内を摺動することができる。第２フレーム２１２の第１端２１２１はキーキャップ固定構造２２１に接続されてその中に固定され、第２フレーム２１２の第２端２１２２は底板摺動フック２０２に接続されて底板摺動フック２０２内を摺動することができる。
【０００６】
キー構造２が押下されると、キーキャップ２２は下方向へ移動して弾性体２３を圧迫し、弾性体２３が薄膜スイッチ回路２４をトリガーしてキー信号を生成する。同時に、鋏式接続部材２１の第１フレーム２１１の第２端２１１２と第２フレーム２１２の第２端２１２２は、それぞれキーキャップ摺動フック２２２と底板摺動フック２０２内で摺動して、鋏式接続部材２１を開いた状態から畳んだ状態にする。キー構造２がこれ以上押下されなくなると、弾性体２３は弾性力をキーキャップ２２に提供し、キーキャップ２２は底板２０に対向して上方向に移動し、鋏式接続部材２１を畳んだ状態から開いた状態にして、キーキャップ２２が元の位置に戻る。
【発明の概要】
【発明が解決しようとする課題】
【０００７】
然しながら、前記の従来の技術では、公知のキー構造２の組み立て工程において、先ず第１フレーム２１１の第１端２１１１を底板２０の第２側２０４の方向から底板固定フック２０１１の開口２０１１Ａを通って、鋏式接続部材２１を押下することで、第１フレーム２１１の第１端２１１１が底板固定フック２０１１とストッパー構造２０１２の間に進入し、第２フレーム２１２の第２端２１２２が底板２０の第１側２０３の方向から、底板摺動フック２０２の開口２０２１を通って、底板摺動フック２０２内に進入しなくてはならない。上記の組み立て動作が相当複雑であることから、人手によって組み立てねばならず、組み立てスタッフが上記の組み立て作業を長時間行うと疲労し易く、組み立て効率が低下する。また、組み立てる工程で、組み立てスタッフの力の込め具合が不適切なことによって底板２０や鋏式接続部材２１の構造が損壊し易くなる。
【０００８】
本発明は、このような従来の問題に鑑みてなされたものである。上記課題解決のため、本発明は組み立てが容易なキーボード装置のキー構造を提供することを主目的とする。
【課題を解決するための手段】
【０００９】
上述した課題を解決し、目的を達成するために、本発明に係る好ましいキーボード装置のキー構造は、鋏式接続部材を備え、前記鋏式接続部材が、底板固定軸とキーキャップ摺動軸を有し、前記底板固定軸が第１フレームの第１端にあり、前記キーキャップ固定軸が第１フレームの第２端にある第１フレームと、前記第１フレームに接続され、底板摺動軸とキーキャップ固定軸を有し、前記キーキャップ固定軸が第２フレームの第１端にあり、前記底板摺動軸が第２フレームの第２端にある第２フレームと、前記鋏式接続部材に接続された底板と、を備え、前記底板が、前記底板の第２側にあり、前記第１フレームの前記第１端をその中に収容するための第１底板孔と、前記第１底板孔の第２側にあり、底板固定フックの開口が前記底板の第１側に臨み、前記底板固定軸と接触する底板固定フックと、前記第１底板孔の第１側にあり、ストッパー構造が前記底板の頂面から突出して、前記底板固定軸が前記底板固定フックと前記ストッパー構造の間から脱け出ないようにするストッパー構造であって、前記ストッパー構造と前記開口との間隔が前記底板固定軸の直径より小さいものと、前記底板の前記第１側にあり、前記底板摺動フックの開口が前記底板の前記第１側に臨み、前記底板摺動軸をその中に収容するための底板摺動フックとを備えることを特徴とする。
【００１０】
好ましい実施形態において、本発明キーボード装置のキー構造は、前記底板に設置され、トリガーされるとキー信号を生成する薄膜スイッチ回路と、前記鋏式接続部材に接続され、押下されると前記薄膜回路スイッチをトリガーするキーキャップと、前記薄膜スイッチ回路に設置され、その頂部が前記キーキャップと接触すると、その底部が前記薄膜スイッチ回路と接触し、前記キーキャップに当接されると、前記薄膜回路スイッチをトリガーし、又は弾性力を前記キーキャップに提供するための弾性体とをさらに備えることを特徴とする。
【００１１】
好ましい実施形態において、前記キーキャップは、前記底板固定フックの上方にあり、前記鋏式接続部材の前記キーキャップ固定軸を収納してその中に固定するためのキーキャップ固定構造と、前記キーキャップの第１側にあり、前記鋏式接続部材の前記キーキャップ摺動軸を収納するためのキーキャップ摺動フックとを備えることを特徴とする。
【００１２】
好ましい実施形態において、前記キーキャップが押下されると、前記キーキャップ固定軸と前記底板固定軸がそれぞれ前記キーキャップ固定構造と前記底板固定フック内で回転し、前記キーキャップ摺動軸と前記底板摺動軸がそれぞれ前記キーキャップ摺動フックと前記底板摺動フック内で前記底板の前記第１側に摺動して、前記鋏式接続部材を開いた状態から畳んだ状態とし、前記弾性体は前記キーキャップに当接されて前記薄膜回路スイッチをトリガーし、前記薄膜回路スイッチが前記キー信号を生成し、前記キーキャップがこれ以上押下されなくなると、前記弾性体が前記弾性力を前記キーキャップに提供し、前記キーキャップ固定軸と前記底板固定軸がそれぞれ前記キーキャップ固定構造と前記底板固定フック内で回転し、前記キーキャップ摺動軸と前記底板摺動軸がそれぞれ前記キーキャップ摺動フックと前記底板摺動フック内で前記底板の前記第２側に摺動して、前記キーキャップが元の位置に移動することを特徴とする。
【００１３】
好ましい実施形態において、前記第１フレームは第１底面を有して前記底板固定軸が前記第１底面から突出し、前記第２フレームは第２底面を有して前記底板摺動軸が前記第２底面から突出することを特徴とする。
【００１４】
好ましい実施形態において、前記底板は、前記底板の前記第１側にあって前記底板摺動フックに近傍し、前記底板摺動軸をその中に収容するための第２底板孔をさらに有することを特徴とする。
【００１５】
好ましい実施形態において、前記薄膜スイッチ回路は、前記薄膜スイッチ回路の第２側にあり、前記底板固定軸と前記底板固定フックに貫通された第１薄膜孔と、前記薄膜スイッチ回路の第１側にあり、前記底板摺動軸と前記底板摺動フックに貫通された第２薄膜孔とを備えることを特徴とする。
【００１６】
好ましい実施形態において、本発明は、鋏式接続部材を備え、前記鋏式接続部材が、底板固定軸、キーキャップ摺動軸及び凸部を備え、前記底板固定軸が第１フレームの第１端にあり、前記凸部が前記底板固定軸の中央領域にあり、前記キーキャップ固定軸が前記第１フレームの第２端にある第１フレームと、前記第１フレームに接続され、底板摺動軸とキーキャップ固定軸を有し、前記キーキャップ固定軸が第２フレームの第１端にあり、前記底板摺動軸が第２フレームの第２端にある第２フレームと、前記鋏式接続部材に接続された底板と、を備え、前記底板が、前記底板の第２側にあり、前記第１フレームの前記第１端をその中に収容するための第１底板孔と、前記第１底板孔の第２側にあり、底板固定フックの開口が前記底板の第１側に臨み、前記底板固定軸と接触する底板固定フックと、前記第１底板孔の第１側にあり、前記凸部をその中に収容し、前記第２底板孔の側壁が前記凸部の側辺と接触する第２底板孔と、
前記底板の前記第１側にあり、前記底板摺動フックの開口が前記底板の前記第１側に臨み、前記底板摺動軸をその中に収容するための底板摺動フックとを備えることを特徴とするキーボード装置のキー構造を提供する。
【００１７】
好ましい実施形態において、本発明キーボード装置のキー構造は、前記底板に設置され、トリガーされるとキー信号を生成する薄膜スイッチ回路と、前記鋏式接続部材に接続され、押下されると前記薄膜回路スイッチをトリガーするキーキャップと、前記薄膜スイッチ回路に設置され、その頂部が前記キーキャップと接触すると、その底部が前記薄膜スイッチ回路と接触し、前記キーキャップに当接されると、前記薄膜回路スイッチをトリガーし、又は弾性力を前記キーキャップに提供するための弾性体とをさらに備えることを特徴とする。
【００１８】
好ましい実施形態において、前記キーキャップは、前記底板固定フックの上方にあり、前記鋏式接続部材の前記キーキャップ固定軸を収納してその中に固定するためのキーキャップ固定構造と、前記キーキャップの第１側にあり、前記鋏式接続部材の前記キーキャップ摺動軸を収納するためのキーキャップ摺動フックとを備えることを特徴とする。
【００１９】
好ましい実施形態において、前記キーキャップが押下されると、前記キーキャップ固定軸と前記底板固定軸がそれぞれ前記キーキャップ固定構造と前記底板固定フック内で回転し、前記キーキャップ摺動軸と前記底板摺動軸がそれぞれ前記キーキャップ摺動フックと前記底板摺動フック内で前記底板の前記第１側に摺動して、前記鋏式接続部材を開いた状態から畳んだ状態とし、前記弾性体は前記キーキャップに当接されて前記薄膜回路スイッチをトリガーし、前記薄膜回路スイッチが前記キー信号を生成し、前記キーキャップこれ以上押下されなくなると、前記弾性体が前記弾性力を前記キーキャップに提供し、前記キーキャップ固定軸と前記底板固定軸がそれぞれ前記キーキャップ固定構造と前記底板固定フック内で回転し、前記キーキャップ摺動軸と前記底板摺動軸がそれぞれ前記キーキャップ摺動フックと前記底板摺動フック内で前記底板の前記第２側に摺動して、前記キーキャップが元の位置に移動することを特徴とする。
【００２０】
好ましい実施形態において、前記第１フレームは第１底面を有して前記底板固定軸が前記第１底面から突出し、前記第２フレームは第２底面を有して前記底板摺動軸が前記第２底面から突出することを特徴とする。
【００２１】
好ましい実施形態において、前記底板は、前記底板の前記第１側にあって前記底板摺動フックに近傍し、前記底板摺動軸をその中に収容するための第３底板孔をさらに有することを特徴とする。
【００２２】
好ましい実施形態において、前記薄膜スイッチ回路は、前記薄膜スイッチ回路の第２側にあり、前記底板固定軸と前記底板固定フックに貫通された第１薄膜孔と、前記薄膜スイッチ回路の第１側にあり、前記底板摺動軸と前記底板摺動フックに貫通された第２薄膜孔とを備えることを特徴とする。
【発明の効果】
【００２３】
本発明によれば、公知のキー構造の組み立て方法によらずして、簡単で便利な組み立て方法が得られる。
【図面の簡単な説明】
【００２４】
【図１】公知のキーボード装置の外観構造の概略図である。
【図２】公知のキーボード装置のキー構造における側面概略図である。
【図３】本発明のキーボード装置のキー構造における第１の好ましい実施形態の構造の分解概略図である。
【図４】本発明のキーボード装置のキー構造における第１の好ましい実施形態の局部構造の概略図である。
【図５】本発明のキーボード装置のキー構造における第１の好ましい実施形態の別の視角での局部構造の概略図である。
【図６】本発明のキーボード装置のキー構造における第１の好ましい実施形態の構造の側面概略図である。
【図７】本発明のキーボード装置のキー構造における第１の好ましい実施形態において押下された際の構造の側面概略図である。
【図８】本発明のキーボード装置のキー構造における第１の好ましい実施形態の構造の分解概略図である。
【図９】本発明のキーボード装置のキー構造における第２の好ましい実施形態の局部構造の概略図である。
【図１０】本発明のキーボード装置のキー構造における第２の好ましい実施形態の別の視角での局部構造の概略図である。
【図１１】本発明のキーボード装置のキー構造における第２の好ましい実施形態の構造の上面概略図である。
【図１２】本発明のキーボード装置のキー構造における第２の好ましい実施形態におけるＡ─Ａ’断面の局部構造の側面概略図である。
【図１３】本発明のキーボード装置のキー構造における第２の好ましい実施形態におけるＢ─Ｂ’断面の局部構造の側面概略図である。
【発明を実施するための形態】
【００２５】
以下に図面を参照して本発明を実施するための形態について、詳細に説明する。なお、本発明は、以下に説明する実施形態に限定されるものではない。
【実施例１】
【００２６】
まず、本発明に係るキーボード装置のキー構造の第１実施形態について説明する。
【００２７】
本発明の実施形態に係るキーボード装置のキー構造につき、図３は本発明のキーボード装置のキー構造における第１の好ましい実施形態の構造の分解概略図である。キーボード装置のキー構造３は鋏式接続部材３０、底板３１、キーキャップ３２、薄膜スイッチ回路３３及び弾性体３４を備える。鋏式接続部材３０はキーキャップ３２と薄膜スイッチ回路３３の間にあり、第１フレーム３０１と第２フレーム３０２を備える。第１フレーム３０１は底板固定軸３０１１とキーキャップ摺動軸３０１２を備え、底板固定軸３０１１は第１フレーム３０１の第１端３０１３にあり、キーキャップ固定軸３０１２は第１フレーム３０１の第２端３０１４にあり、底板固定軸３０１１は第１フレーム３０１の第１底面３０１５から突出する。第２フレーム３０２は底板摺動軸３０２１とキーキャップ固定軸３０２２を備え、キーキャップ固定軸３０２２は第２フレーム３０２の第１端３０２３にあり、底板摺動軸３０２１は第２フレーム３０２の第２端３０２４にあり、底板摺動軸３０２１は第２フレーム３０２の第２底面３０２５から突出する。
【００２８】
図３によれば、底板３１は薄膜スイッチ回路３３の下方にあり、底板３１は第１底板孔３１１、底板固定フック３１２、ストッパー構造３１３、底板摺動フック３１４及び第２底板孔３１５を備える。第１底板孔３１１は底板３１の第２側３１８にあり、底板固定フック３１２は第１底板孔３１１の第２側にあり、底板固定フック３１２の開口３１２１は底板３１の第１側３１７に臨む。ストッパー構造３１３は第１底板孔３１１の第１側にあって底板３１の頂面３１６から突出し、底板摺動フック３１４は底板３１の第１側３１７にあり、底板摺動フック３１４の開口３１４１は底板３１の第１側３１７に臨み、第２底板孔３１５は底板３１の第１側３１７にあって底板摺動フック３１４に近傍する。底板３１においては、底板固定フック３１２の開口３１２１と底板摺動フック３１４の開口３１４１は共に底板３１の第１側３１７に臨む。薄膜スイッチ回路３３は第１薄膜孔３３１と第２薄膜孔３３２を備え、第２薄膜孔３３２は薄膜スイッチ回路３３の第１側３３３にあり、第１薄膜孔３３１は薄膜スイッチ回路３３の第２側３３４にある。弾性体３４はキーキャップ３２と薄膜スイッチ回路３３の間にあって頂部３４１と底部３４２を有する。
【００２９】
続いて、キーボード装置のキー構造３における鋏式接続部材３０が底板３１と結合する状況を説明する。図４は本発明のキーボード装置のキー構造における第１の好ましい実施形態の局部構造の概略図であり、図５は本発明のキーボード装置のキー構造における第１の好ましい実施形態の別の視角での局部構造の概略図である。第１フレーム３０１の底板固定軸３０１１は底板固定フック３１２とストッパー構造３１３の間に収容され、底板固定フック３１２とストッパー構造３１３との間隔ｇ１（図６参照）は底板固定軸３０１１の直径ｄより大きいか等しく、底板固定フック３１２が底板固定軸３０１１の側辺３０１１Ａと接触し、ストッパー構造３１３が底板固定軸３０１１の他の側辺３０１１Ｂと接触して、底板固定軸３０１１が底板固定フック３１２とストッパー構造３１３の間から脱け出さないようにする。底板固定フック３１２とストッパー構造３１３との間隔ｇ１は底板固定軸３０１１の直径ｄより大きいか等しく、底板固定軸３０１１は底板固定フック３１２とストッパー構造３１３の間で回転することができる。
【００３０】
第２フレーム３０２の底板摺動軸３０２１は底板摺動フック３１４内に収容され、底板摺動フック３１４と接触する。底板摺動軸３０２１は底板摺動フック３１４内で摺動可能で、底板固定軸３０１１の回転に合わせてキー構造３の押下動作が行える。第１フレーム３０１の第１端３０１３と底板固定軸３０１１が第１底面３０１５から突出する部分は、第１底板孔３１１内に入り、底板摺動軸３０２１は第２底板孔３１５内に入る。
【００３１】
図６は本発明のキーボード装置のキー構造における第１の好ましい実施形態の構造の側面概略図であり、図７は本発明のキーボード装置のキー構造における第１の好ましい実施形態において押下された際の構造の側面概略図である。図６と図７によれば、キーキャップ３２はキーキャップ固定構造３２１とキーキャップ摺動フック３２２を備える。キーキャップ固定構造３２１は底板固定フック３１２の上方にあり、鋏式接続部材３０のキーキャップ固定軸３０２２を収納してその中に固定する。キーキャップ摺動フック３２２はキーキャップ３２の第１側３２３にあり、キーキャップ摺動軸３０１２をその中に収納する。薄膜スイッチ回路３３は底板３１に設置され、第１薄膜孔３３１は底板固定フック３１２に貫通される。底板固定軸３０１１が底板固定フック３１２とストッパー構造３１３の間に収容されると、底板固定軸３０１１は第１薄膜孔３３１を貫通して第１底板孔３１１に入る。一方、第２薄膜孔３３２は底板摺動フック３１４に貫通され、底板摺動軸３０２１が底板摺動フック３１４内に収容されると、底板摺動軸３０２１は第２薄膜孔３３２を貫通して第２底板孔３１５に入る。弾性体３４は薄膜スイッチ回路３３に設置され、弾性体３４の頂部３４１はキーキャップ３２と接触し、弾性体３４の底部３４２は薄膜スイッチ回路３３と接触する。
【００３２】
図７に示すように、キーボード装置のキー構造３のキーキャップ３２が押下されると、キーキャップ固定軸３０２２と底板固定軸３０１１はそれぞれキーキャップ固定構造３２１と底板固定フック３１２内で回転し、キーキャップ摺動軸３０１２と底板摺動軸３０２１はそれぞれキーキャップ摺動フック３２２と底板摺動フック３１４内で底板３１の第１側３１７に摺動して、鋏式接続部材３０を開いた状態から畳んだ状態とし、弾性体３４はキーキャップ３２に当接されて薄膜回路スイッチ３３をトリガーし、薄膜回路スイッチ３３がキー信号を生成する。
【００３３】
キーキャップ３２がこれ以上押下されなくなると、弾性体３４は弾性力をキーキャップ３２に提供し、キーキャップ固定軸３０２２と底板固定軸３０１１がそれぞれキーキャップ固定構造３２１と底板固定フック３１２内で回転し、キーキャップ摺動軸３０１２と底板摺動軸３０２１がそれぞれキーキャップ摺動フック３２２と底板摺動フック３１４内で底板３１の第２側３１８に摺動して、キーキャップ３２が押下される前の元の位置に移動する。
【００３４】
因みに、鋏式接続部材３０と底板３１を組み立てる工程で、第２フレーム３０２の底板摺動軸３０２１が底板摺動フック３１４の開口３１４１から底板摺動フック３１４内に進入する。同時に、第１フレーム３０１の底板固定軸３０１１が底板固定フック３１２の開口３１２１から底板固定フック３１２に進入する。底板固定フック３１２は、開口３１２１とストッパー構造３１３との間隔ｇ２が底板固定軸３０１１の直径ｄより小さく、底板固定軸３０１１が遮断されて開口３１２１とストッパー構造３１３の間に進入できない。
このため、鋏式接続部材３０と底板３１を組み立てると、底板固定軸３０１１は底板固定フック３１２とストッパー構造３１３に当接して、ストッパー構造３１３が変形し、このとき、開口３１２１とストッパー構造３１３との間隔ｇ２は底板固定軸３０１１の直径ｄより大きいか等しく、底板固定軸３０１１は通過可能となって底板固定フック３１２とストッパー構造３１３の間に収容される。底板固定軸３０１１が開口３１２１とストッパー構造３１３の間を通過すると、変形したストッパー構造３１３は原状回復して、その間隔ｇ２が底板固定軸３０１１の直径ｄより小さくなるまで回復して、底板固定軸３０１１が底板固定フック３１２とストッパー構造３１３の間から脱け出ないようになる。上記は本発明キーボード装置のキー構造の第１の好ましい実施形態の構造及び作動状況である。
【００３５】
図８は本発明のキーボード装置のキー構造における第１の好ましい実施形態の構造の分解概略図である。キーボード装置のキー構造４は鋏式接続部材４０、底板４１、キーキャップ４２、薄膜スイッチ回路４３及び弾性体４４を備え、キーキャップ４２、薄膜スイッチ回路４３及び弾性体４４の構造は、何れも第１の好ましい実施形態と全く同じであるので、これ以上詳述しない。鋏式接続部材４０はキーキャップ４２と薄膜スイッチ回路４３の間にあり、鋏式接続部材４０は第１フレーム４０１と第２フレーム４０２を備える。第１フレーム４０１は底板固定軸４０１１、キーキャップ摺動軸４０１２及び凸部４０１３を備える（図１０参照）。
底板固定軸４０１１は第１フレーム４０１の第１端４０１４にあり、キーキャップ固定軸４０１２は第１フレーム４０１の第２端４０１５にあり、凸部４０１３は底板固定軸４０１２の中央領域にあり、底板固定軸４０１１は第１フレーム４０１の第１底面４０１６から突出する。第２フレーム４０２は底板摺動軸４０２１とキーキャップ固定軸４０２２を備え、キーキャップ固定軸４０２２は第２フレーム４０２の第１端４０２３にあり、底板摺動軸４０２１は第２フレーム４０２の第２端４０２４にあり、底板摺動軸４０２１は第２フレーム４０２の第２底面４０２５から突出する。
【００３６】
図８では、底板４１は薄膜スイッチ回路４３の下方にあり、底板４１は第１底板孔４１１、底板固定フック４１２、第２底板孔４１３、底板摺動フック４１４及び第３底板孔４１５を備える。第１底板孔４１１は底板４１の第２側４１８にあり、底板固定フック４１２は第１底板孔４１１の第２側にあり、底板固定フック４１２の開口４１２１が底板４１の第１側４１７に臨む。第２底板孔４１３は第１底板孔４１１の第１側にあり、底板摺動フック４１４は底板４１の第１側４１７にあり、底板摺動フック４１４の開口４１４１が底板４１の第１側４１７に臨み、第３底板孔４１５は底板４１の第１側４１７にあって底板摺動フック４１４に近傍する。底板４１では、底板固定フック４１２の開口４１２１と底板摺動フック４１４の開口４１４１が共に底板４１の第１側４１７に臨む。
【００３７】
続いて、キーボード装置のキー構造４の鋏式接続部材４０が底板４１と結合する状況を説明する。図９は本発明のキーボード装置のキー構造における第２の好ましい実施形態の局部構造の概略図であり、図１０は本発明のキーボード装置のキー構造における第２の好ましい実施形態の別の視角での局部構造の概略図である。第１フレーム４０１の底板固定軸４０１１は底板固定フック４１２内に収容され、底板固定フック４１２は底板固定軸４０１１の側辺４０１１Ａと接触する。第１フレーム４０１の凸部４０１３は第２底板孔４１３に入り、第２底板孔４１３の側壁４１３１は凸部４０１３の側辺４０１３Ａと接触する。
【００３８】
第２フレーム４０２の底板摺動軸４０２１は底板摺動フック４１４内に収容されて、底板摺動フック４１４と接触し、底板摺動軸４０２１は底板摺動フック４１４内での摺動が可能で、底板固定軸４０１１の回転に合わせてキー構造４の押下動作が行えるが、キー構造４の押下動作については、第１の好ましい実施形態の記述と全く同じであるので、これ以上説明しない。図１０に示すように、第１フレーム４０１の第１端４０１４と底板固定軸４０１１が第１底面４０１５から突出する部分は第１底板孔４１１内に入り、第１フレーム４０１の第１端４０１４にある凸部４０１３は第２底板孔４１３内に入り、底板摺動軸４０２１は第３底板孔４１５内に入る。
【実施例２】
【００３９】
次は、本発明に係るキーボード装置のキー構造の第２実施形態について説明する。図１１は本発明のキーボード装置のキー構造における第２の好ましい実施形態の構造の上面概略図である。図１１はキー構造４のキーキャップ４２上のＡ─Ａ’断面とＢ─Ｂ’断面を示しており、Ａ─Ａ’断面はキー構造４の一側から底板固定軸４０１１を通す断面であり、また、Ｂ─Ｂ’断面はキー構造４の中央近傍箇所から底板摺動軸４０２１を通す断面である。
【００４０】
図１２は本発明のキーボード装置のキー構造における第２の好ましい実施形態におけるＡ─Ａ’断面の局部構造の側面概略図であり、図１３は本発明のキーボード装置のキー構造における第２の好ましい実施形態におけるＢ─Ｂ’断面の局部構造の側面概略図である。図１２と図１３によれば、キーキャップ４２はキーキャップ固定構造４２１とキーキャップ摺動フック４２２を備える。キーキャップ固定構造４２１は底板固定フック４１２の上方にあり、鋏式接続部材４０のキーキャップ固定軸４０２２を収納してその中に固定する。キーキャップ摺動フック４２２はキーキャップ４２の第１側４２３にあり、キーキャップ摺動軸４０１２をその中に収納する。
【００４１】
図１２と図１３から以下のことが分かる。底板固定フック４１２内に収容された底板固定軸４０１１の側辺４０１１Ａは底板固定フック４１２に遮断されて位置が限定され、第２底板孔４１３に入った凸部４０１３の側辺４０１３Ａは、第２底板孔４１３の側壁４１３１に遮断されて位置が限定される。底板固定フック４１２と第２底板孔４１３の側壁４１３１の設計により、第１フレーム４０１の第１端４０１４を底板４１に固定することができ、底板固定軸４０１１は底板固定フック４１２内で回転可能で、底板固定フック４１２内から脱け出ない。
【００４２】
因みに、鋏式接続部材４０と底板４１を組み立てる工程で、第２フレーム４０２の底板摺動軸４０２１は底板摺動フック４１４の開口４１４１から底板摺動フック４１４内に進入し、第１フレーム４０１の底板固定軸４０１１は底板固定フック４１２の開口４１２１から底板固定フック４１２に進入する。然しながら、底板摺動軸４０２１が底板摺動フック４１４に進入する過程で、底板固定軸４０１１の中央領域にある凸部４０１３が、底板４１の頂面４１６に遮断されて第２底板孔４１３内に収容されず、底板摺動軸４０２１が底板摺動フック４１４内に完全に進入することができず、即ち、底板摺動軸４０２１は底板摺動フック４１４と接触することができない。
従って、鋏式接続部材４０と底板４１を組み立てる際、底板固定軸４０１１にある凸部４０１３が第２底板孔４１３に入ってその中に収容されるように、底板固定軸４０１１が底板４１の頂面４１６に当接して底板固定軸４０１１を変形させる。凸部４０１３が第２底板孔４１３内に収容されると、変形した底板固定軸４０１１が原状を回復して、凸部４０１３が第２底板孔４１３内から脱け出ないようにする。
【００４３】
上記の各好ましい実施形態により以下のことが分かる。本発明に係るキーボード装置のキー構造における底板固定フックの開口と底板摺動フックの開口は、鋏式接続部材を底板の一側から底板固定フックの開口と底板摺動フックの開口を通して組み立て動作を行うために共に同じ側に臨む。組み立てに便利な構造の外に、本発明に係るキーボード装置のキー構造はさらにストッパー構造や第２底板孔等の底板固定軸を規制するための部材を備えて、底板固定軸が底板固定フック内から脱け出ないようにする。このため、本発明に係るキーボード装置のキー構造は公知のキー構造の組み立て方法を採用することなく、簡単で便利な組み立て方法を有する。
【００４４】
以上、本発明はこのような実施形態に限定されるものではなく、発明の趣旨を逸脱しない範囲において、種々の形態で実施することができる。
【符号の説明】
【００４５】
１  キーボード装置
２、３、４  キー構造
１０  キー
２０、３１、４１  底板
２１、３０、４０  鋏式接続部材
２２、３２、４２  キーキャップ
２３、３４、４４  弾性体
２４、３３、４３  薄膜スイッチ回路
２０１  底板固定構造
２０２、３１４、４１４  底板摺動フック
２０３、３１７、４１７  底板の第１側
２０４、３１８、４１８  底板の第２側
２１１、３０１、４０１  第１フレーム
２１２、３０２、４０２  第２フレーム
２２１、３２１、４２１  キーキャップ固定構造
２２２、３２２、４２２  キーキャップ摺動フック
２２３、３２３、４２３  キーキャップの第１側
２２４、３２４、４２４  キーキャップの第２側
３１２、４１２、２０１１  底板固定フック
３１３、２０１２  ストッパー構造
３１１、４１１  第１底板孔
３１５、４１３  第２底板孔
３１６、４１６  底板の頂面
３３１  第１薄膜孔
３３２  第２薄膜孔
３３３  薄膜スイッチ回路の第１側
３３４  薄膜スイッチ回路の第２側
３２３  キーキャップの第１側
３４１  弾性体の頂部
３４２  弾性体の底部
４１５  第３底板孔
２０２１、３１４１、４１４１  底板摺動フックの開口
２１１１、３０１３、４０１３  第１フレームの第１端
２１１２、３０１４、４０１４  第１フレームの第２端
２１２１、３０２３、４０２３  第２フレームの第１端
２１２２、３０２４、４０２４  第２フレームの第２端
３０１１、４０１１  底板固定軸
３０１２、４０１２  キーキャップ摺動軸
３０１５、４０１５  第１底面
３０２１、４０２１  底板摺動軸
３０２２、４０２２  キーキャップ固定軸
３０２５、４０５５  第２底面
３１２１、４１２１、２０１１Ａ  底板固定フックの開口
４０１３  凸部
４１３１  第２底板孔の側壁
３０１１Ａ、４０１１Ａ  底板固定軸の側辺
３０１１Ｂ  底板固定軸の他の側辺
４０１３Ａ  凸部の側辺
Ａ─Ａ’、  Ｂ─Ｂ’  断面
【図１】
2012160428.tif 000003
【図２】
2012160428.tif 000004
【図３】
2012160428.tif 000005
【図４】
2012160428.tif 000006
【図５】
2012160428.tif 000007
【図６】
2012160428.tif 000008
【図７】
2012160428.tif 000009
【図８】
2012160428.tif 000010
【図９】
2012160428.tif 000011
【図１０】
2012160428.tif 000012
【図１１】
2012160428.tif 000013
【図１２】
2012160428.tif 000014
【図１３】
2012160428.tif 000015